(57)【要約】【構成】揮散性薬剤又はこれを含む保持体を包装する包装体に用いられる揮散性薬剤包装体用フィルムであって、該フィルムが薬剤非吸着性材料と熱シール性材料を混合した材料で成形されていることを特徴とする揮散性薬剤包装用フィルム。さらに、揮散性薬剤又はこれを含む保持体を包装する包装体の少なくとも一部が上記揮散性薬剤包装用フィルムで構成されていることを特徴とする揮散性薬剤包装体。【効果】流通段階または保存時において、揮散性薬剤の吸着がなく、その結果、薬剤を無駄なく使用でき、薬剤効力の低下がない揮散性薬剤包装用フィルムおよび包装体を提供できる。【選択図】  図１
2004331174.tif 000002
【特許請求の範囲】
【請求項１】
揮散性薬剤又はこれを含む保持体を包装する包装体に用いられる揮散性薬剤包装体用フィルムであって、該フィルムが薬剤非吸着性材料と熱シール性材料を混合した材料で成形されたことを特徴とする揮散性薬剤包装用フィルム。
【請求項２】
前記揮散性薬剤包装用フィルムが、熱シール性を有する請求項第１項記載の揮散性薬剤包装用フィルム。
【請求項３】
揮散性薬剤又はこれを含む保持体を包装する包装体に用いられる揮散性薬剤包装体用フィルムであって、該フィルムが少なくとも２層以上に積層された構造を有し、その最内面層が薬剤非吸着性材料と熱シール性材料を混合した材料で構成されていることを特徴とする揮散性薬剤包装用フィルム。
【請求項４】
前記最内面層が、熱シール性を有する請求項第３項記載の揮散性薬剤包装用フィルム。
【請求項５】
薬剤非吸着性材料がポリエチレンテレフタレート、ポリブチレンテレフタレート、ポリアミド、ポリアセタール、ポリカーボネートおよびメチルペンテンポリマーからなる群から選ばれる１種又は２種以上である請求項第１項ないし請求項第４項の何れかの請求項に記載の揮散性薬剤包装用フィルム。
【請求項６】
熱シール性材料が、ポリエチレン、ポリプロピレン、共重合ポリエステル、エチレン−ビニルアセテート共重合体、エチレン−アルキルアクリレート共重合体、エチレン−アルキルメタクリレート共重合体、ウレタン系エラストマー、ポリスチレン系エラストマー、ポリオレフィン系エラストマーおよびアイオノマーからなる群から選ばれる１種又は２種以上である請求項第１項ないし請求項第４項の何れかの請求項に記載の揮散性薬剤包装用フィルム。
【請求項７】
薬剤非吸着性材料がポリエチレンテレフタレートであり、熱シール性材料がポリエチレン及び／又はポリプロピレンである請求項第１項ないし請求項第６項の何れかの請求項に記載の揮散性薬剤包装用フィルム。
【請求項８】
薬剤非吸着性材料と熱シール性材料の混合割合が９：１〜６：４の範囲である請求項第１項ないし請求項第７項の何れかの請求項に記載の揮散性薬剤包装用フィルム。
【請求項９】
揮散性薬剤がエンペントリンである請求項第１項ないし請求項第８項の何れかの請求項に記載の揮散性薬剤包装用フィルム。
【請求項１０】
揮散性薬剤又はこれを含む保持体を包装する包装体の少なくとも一部が、請求項第１項ないし請求項第９項の何れかの請求項に記載の包装用フィルムであることを特徴とする揮散性薬剤包装体。
【請求項１１】
前記包装体が、袋体である請求項第１０項記載の揮散性薬剤包装体。
【請求項１２】
前記包装体が、一部に開口部を有する容器の開口部が請求項第１項ないし第８項の何れかの請求項に記載された包装用フィルムでシールされた容器体である揮散性薬剤包装体。
【発明の詳細な説明】
【０００１】
【発明の属する技術分野】
本発明は、揮散性薬剤包装用フィルム及び該フィルムを用いた揮散性薬剤包装体に関し、更に詳しくは、薬剤が無駄なく有効に揮散し効力低下が生じない揮散性薬剤包装用フィルム及び該フィルムを用いた揮散性薬剤包装体に関する。
【０００２】
【従来の技術】
従来から、紙、パルプなどの担持体に、香料、防虫剤又は殺虫剤等の薬剤を担持させ、これを揮散口を有する成形容器に収納した芳香器、防虫器又は殺虫器等が提案されている。例えば、衣類等を害虫の被害から守るために使用される防虫器としては、常温揮散性のピレスロイドを担持体に担持させ、これを熱可塑性樹脂製の成形容器に収納し、洋服ダンス、クローゼット、引き出し、衣装ケース等の内に設置することにより、洋服ダンスなどの内部に防虫剤が揮散させて防虫効果を発揮させるものが提案されている。
【０００３】
また、例えば、トイレ、部屋又は車等の空間に芳香を付与する芳香器としては、香料を親油性の界面活性剤、グリコール、グリコールエーテル、グリセリンエステル又はワックス成分と混合させてパルプ等の担持体に担持させたものを樹脂製の成形容器に収納させたものや、液状又はゲル状の芳香剤を揮散口を有する成形容器に収納させたものが提案されている。
【０００４】
これらの防虫器や芳香器に使用される成形容器の材料としては、一般的にポリプロピレンやポリエチレンなどの樹脂が用いられているが、これらの樹脂を用いた成形容器は、流通段階において、常温揮散性のピレスロイドや香料が容器に吸着してしまい、しかも一旦吸着されたこれら成分は、ほとんど揮散しないため、実質的に有効成分量が減少してしまい、結果として本来の使用期間中に十分な防虫効果や芳香効果が発揮できないという問題点が生じていた。
【０００５】
この問題を解決するものとして、常温揮散性のピレスロイドが担持された防虫マット又は防虫シートを、ポリエステル、ポリアミド、ポリカーボネート等の常温揮散性ピレスロイドが吸着しない樹脂で製造した通気性プラスチック成形容器に収納した防虫器（特許文献１参照）が提案されている。
【０００６】
上記のような防虫器を用いることで流通段階における揮散性薬剤の容器への吸着は防止できるが、一般に防虫器や芳香器は、流通段階又は消費者による使用開始前に防虫剤や香料等の揮散性薬剤が揮散してしまわないように、薬剤が透過しない包装体に収納されているため、包装体への薬剤吸着が次の問題になる。
【０００７】
一般に揮散性薬剤の容器を包装している包装体は、延伸ポリエステルフィルム、延伸ナイロンフィルムのような薬剤非吸着性のフィルムで製造されているが、延伸ポリエステルフィルム単独や延伸ナイロンフィルム単独では熱シール性がないため、通常フィルム内面にポリエチレンやポリプロピレン等の熱シール性層が設けられている（特許文献２参照）。しかしながら、このようなフィルムを用いて揮散性薬剤を包装した場合には、長期間の流通段階で熱シール性層に薬剤が吸着されてしまうという問題点があった。
【０００８】
さらに、熱シール性層に吸着された揮散性薬剤は、一旦吸着されるとほとんど揮散せず、しかも開封後は包装体とともにゴミとして廃棄されてしまうため揮散性薬剤が無駄になるばかりか、実質的な有効成分量が減少してしまい、結果として使用期間中に十分な防虫効果や芳香効果が発揮できないという問題点が生じていた。
【０００９】
これらを解決するために、延伸ポリエステルフィルムのような薬剤非吸着性層の方を内面にして包装する方法も提案されているが（特許文献３参照）、一般に延伸ポリエステルフィルムや延伸ナイロンフィルムのような薬剤非吸着性層には熱シール性がないため、端部において外面の熱シール性層を内側に折り込んで包装しなくてはならず、包装形態が煩雑にならざるを得なかった。
【００１０】
【特許文献１】
特開平２−２７５８０５号
【特許文献２】
特開２００２−９７１０４号
【特許文献３】
特開２００３−７２８５９号
【００１１】
【発明が解決しようとする課題】
従って、流通段階や、使用者による保存において、揮散性薬剤の吸着がなく、その結果、薬剤を無駄なく使用でき、薬剤効力の低下がない揮散性薬剤包装用フィルムおよび揮散性薬剤包装体の提供が求められており、これらの提供が本発明の課題である。
【００１２】
【課題を解決するための手段】
本発明者らは上記問題の生じない揮散性薬剤包装体に使用する包装用フィルムについて鋭意研究を行った結果、原料樹脂として、薬剤非吸着性材料と熱シール性材料を混合した材料を使用した包装用フィルムは、熱シール性と低薬剤吸収性を両立させることができ、上記問題点が解決できることを見出し本発明に至った。
【００１３】
すなわち、本発明は、揮散性薬剤又はこれを含む保持体を包装する包装体に用いられる揮散性薬剤包装体用フィルムであって、該フィルムが薬剤非吸着性材料と熱シール性材料を混合した材料で成形されていることを特徴とする揮散性薬剤包装用フィルムを提供するものである。
【００１４】
また、揮散性薬剤又はこれを含む保持体を包装する包装体に用いられる揮散性薬剤包装体用フィルムであって、該フィルムが少なくとも２層以上が積層された構造を有し、その最内面層が薬剤非吸着性材料および熱シール性材料を混合した材料で構成されていることを特徴とする揮散性薬剤包装用フィルムを提供するものである。
【００１５】
また、揮散性薬剤又はこれを含む保持体を包装する包装体の少なくとも一部が上記揮散性薬剤包装用フィルムで構成されていることを特徴とする揮散性薬剤包装体を提供するものである。
【００１６】
【発明の実施の形態】
本発明の揮散性薬剤包装用フィルムは、薬剤非吸着性材料と熱シール性材料を混合し、この混合物をフィルムとすることにより製造される。
【００１７】
本発明において薬剤非吸着性材料とは、ＪＩＳＫ−７１１４の試験方法で４０℃における揮散性薬剤の吸着量が５質量％以下である性質を有する材料をいう。
【００１８】
本発明における薬剤非吸着性材料は、使用される揮散性薬剤の種類により決定されるが、例えば揮散性薬剤として防虫剤のエンペントリンを用いた場合の好ましい具体例としては、ポリエチレンテレフタレート、ポリブチレンテレフタレート、ポリアミド、ポリアセタール、ポリカーボネートおよびメチルペンテンポリマーからなる群から選ばれた１種又は２種以上が挙げられる。これらの内、コスト、フィルムの形成性または汎用性等の点でポリエチレンテレフタレートがより好ましい。
【００１９】
また、本発明における熱シール性材料とは、約６０℃以上で熱融着性を示す材料をいい、具体的には、ポリエチレン、ポリプロピレン、共重合ポリエステル、エチレン−ビニルアセテート共重合体、エチレン−アルキル（メタ）アクリレート共重合体、エチレン−（メタ）アクリル酸共重合体、ウレタン系エラストマー、ポリスチレン系エラストマー、ポリオレフィン系エラストマーおよびアイオノマーからなる群から選ばれる１種又は２種以上が挙げられる。特に、コスト、接着性またはフィルム形成性等の点からポリエチレン及び／又はポリプロピレンが好ましい。
【００２０】
本発明の揮散性薬剤包装用フィルムを製造する方法としては、特に限定はなく、薬剤非吸着性材料と熱シール性材料が充分に混合された状態でフィルムを形成する方法であればどのような方法でもよいが、その具体的な方法の例としては、薬剤非吸着性材料のペレット、熱シール性材料のペレット及び必要により相溶化剤等の他の添加剤を加熱下に混合し、この混合物をインフレーション法、Ｔダイ法等の溶融押出法、流延成型法又はカレンダー法等の従来公知の方法によりフィルムとする方法が挙げられる。
【００２１】
揮散性薬剤包装用フィルムの製造に当たっての薬剤非吸着性材料と熱シール性材料の混合割合は、混合する材料及び使用される薬剤により適宜決定されるが、概ね、薬剤非吸着性材料：熱シール性材料＝９９：１〜１：９９、好ましくは、９：１〜１：９、更に好ましくは、９：１〜６：４である。この割合より薬剤非吸着性材料が多くなると、包装用フィルム内で揮散した揮散性薬剤が包装用フィルム内に液滴状に付着して、開封時に使用者の手や衣服を汚してしまうという問題が生じ、この割合より熱シール性材料が多くなると、揮散性薬剤を包装した場合に包装用フィルムが揮散性薬剤を吸着してしまい、薬剤が無駄になるばかりか、必要な薬効が必要期間得られない場合がある。
【００２２】
薬剤非吸着性材料と熱シール性材料の最も好ましい組み合わせとしては、薬剤非吸着性材料がポリエチレンテレフタレートで、熱シール性材料がポリエチレン及び／又はポリプロピレンの組み合わせを挙げることができる。なお、薬剤非吸着性材料と熱シール性材料を組み合わせて調製したフィルムとして、ポリペット（商品名；大倉工業（株）製）が市販されているので、これを揮散性薬剤包装用フィルムとして使用することもできる。
【００２３】
なお、上記した本発明の揮散性薬剤包装用フィルムは、これを単層で用いてもよいが、強度確保など包装用フィルムとしての性能を補う目的で、他の材質からなるフィルムを外層に積層してもよい。外層に積層されるフィルムは、従来公知のフィルムを挙げることができるが、具体的フィルムの材質としては、ポリエチレン、ポリプロピレン、ナイロン、ポリ塩化ビニル、セロファン、ポリイミド、ポリエステル、アラミド又はポリスチレン等を挙げることができる。
【００２４】
一方、本発明の揮散性薬剤包装体は、揮散性薬剤又はこれを含む保持体を包装する包装体として、少なくともその一部が上記揮散性薬剤包装用フィルムで構成されているものである。
【００２５】
かかる包装体の形態としては、公知の種々の形態から選択できるが、好ましい形態の一つとしては、収納の容易さなどから袋体が挙げられる。このような袋体を製造する方法としては、従来公知の製袋機を用いての、三方シール包装、横ピロー包装又は縦ピロー包装等を挙げることができる。
【００２６】
また、別の形態としては、他の熱可塑性材料で成形した、容器の開口部を、本発明の包装用フィルムでシールすることによって形成される容器体を挙げることができる。
【００２７】
本発明の揮散性薬剤包装体において、揮散性薬剤包装用フィルムは、少なくともその一部に使用されていればよい。
【００２８】
本発明の揮散性薬剤包装体に使用される揮散性薬剤は、常温又は加熱により揮散される薬剤であり、香料、消臭剤、防虫剤、殺虫剤、防カビ剤等が挙げられる。
【００２９】
このうち、香料としては、天然香料、人工香料の何れも使用可能であり、その２種以上を混合した調合香料であってもよい。また、天然香料は、動物性香料、植物性香料を問わない。
【００３０】
具体的な、動物性香料としては、麝香、霊猫香、竜延香等が挙げられる。また、植物性香料としては、アビエス油、アルモンド油、アンゲリカルート油、ページル油、ベルガモット油、パーチ油、ポアパローズ油、カヤブチ油、カナンガ油、カプシカム油、キャラウェー油、カルダモン油、カシア油、セロリー油、シナモン油、シトロネラ油、コニャック油、コリアンダー油、クミン油、樟脳油、ジル油、エストゴラン油、ユーカリ油、フェンネル油、ガーリック油、ジンジャー油、グレープフルーツ油、ホップ油、レモン油、レモングラス油、ナツメグ油、マンダリン油、ハッカ油、オレンジ油、セージ油、スターアニス油、テレピン油等が挙げられる。
【００３１】
更に、人工香料とは、合成香料又は抽出香料であり、例えば、ピネン、リモネン等の炭化水素系香料、リナロール、ゲラニオール、シトロネロール、メントール、ボルネオール、ベンジルアルコール、アニスアルコール、β−フェネチルアルコール等のアルコール系香料、アネトール、オイゲノール等のフェノール系香料、ｎ−ブチルアルデヒド、イソブチルアルデヒド、ヘキシルアルデヒド、シトラール、シトロネラール、ベンズアルデヒド、シンナミックアルデヒド等のアルデヒド系香料、カルボン、メントン、樟脳、アセトフェノン、イオノン等のケトン系香料、γ−ブチロラクトン、クマリン、シネオール等のラクトン系香料、オクチルアセテート、ベンジルアセテート、シンナミルアセテート、プロピオン酸ブチル、安息香酸メチル等のエステル系香料等が挙げられる。
【００３２】
一方揮散性薬剤のうち、消臭剤としては、ラウリルメタクリレート、ゲラニルクロリネート、シトロネリルセネシオネート、テルペンアルデヒド類等の１種若しくは２種以上を混合して用いることができる。
【００３３】
また、防虫剤としては、アレスリン、プラレトリン、フタルスリン、レスメトリン、ペルメトリン、フェノトリン、フェンバレレート、シペルメトリン、シフェノトリン、エンペントリン、テラレスリン、イミプロスリン、トランスフルスリン、フェンプロパトリン、フェンフルスリン、２，３，５，６−テトラフルオロ−４−メチルベンジル（１Ｒ）−トランス−３−（２−クロロ−２−フルオロビニル）−２，２−ジメチルシクロプロパンカルボキシラート等のピレスロイド系防虫薬剤やパラジクロロベンゼン、ナフタリン、樟脳等の１種若しくは２種以上を混合して用いることができる。この中でも、エンペントリンに対して本発明の包装用フィルムが特に好適に使用できる。
【００３４】
更に、防カビ剤としては、チモール、α−ブロモシンナミックアルデヒド、パラクロロメタキシレノール、オルトフェニルフェノール、３−ヨード−２−プロピルブチルカーバメート、Ｎ−（フルオロジクロロメチルチオ）−フタルイミド、Ｎ−ジクロロフルオロメチルチオ−Ｎ′，Ｎ′−ジメチル−Ｎ−フェニルスルファミド等の１種若しくは２種以上を混合して用いることができる。
【００３５】
本発明の揮散性薬剤包装体では、これらの揮散性薬剤に、さらに酸化防止剤、紫外線吸収剤、防カビ剤、殺菌剤、色素、金属不活性剤又は効力増強剤等を配合することができる。
【００３６】
かくして得られる本発明の揮散性薬剤包装体の形態としては、固体状、ゲル状若しくは液体状の揮散性薬剤自体を包装した形態、揮散性薬剤を適当な保持体に含浸させその保持体を包装した形態、揮発性薬剤若しくはこれを含む保持体を揮散口を有する容器に収納し、その揮散口をシールした形態等が挙げられる。
【００３７】
なお、揮散性薬剤包装体で用いられる保持体は、ピレスロイド等の常温で揮散性の薬剤を含浸可能なものであれば特に限定されない。具体的にはパルプ、紙、木片、シリカゲル、織布又は不織布等を、粒状、球状、板状、マット状又はフィルム状で用いることができる。
【００３８】
【実施例】
以下実施例を挙げ、本発明を更に詳しく説明するが、本発明はこれら実施例により何ら制約されるものではない。
【００３９】
実  施  例  １
表１に記載したフィルムを用い、二軸紙器三方製袋機で、縦５ｃｍ×横５ｃｍの袋を製袋した。この袋の中にエンペントリン１００ｍｇを含浸させた３ｃｍ×４ｃｍ×０．１ｃｍパルプ製濾紙を収納して発明品１〜３の揮散性薬剤包装体を調製し、保存安定性を調べた。なお、比較品１については、ＰＥＴの方が外側になるようにして、上記エンペントリン含浸濾紙を収納したものを用いた。
【００４０】
保存安定性は、発明品１〜３と比較品１を、４０℃で３０日間放置した後、包装フィルムを開け、濾紙に残存しているエンペントリンをアセトンで抽出し、残存しているエンペントリンの量をガスクロマトグラフィーを用いて測定することにより評価した。この結果を表２に示す。
【００４１】
【表１】
2004331174.tif 000003
【００４２】
【表２】
2004331174.tif 000004
【００４３】
上記表２から明らかなように、本発明品の揮散性薬剤包装用フィルムを包装に使用した場合には、比較品のフィルムを使用した場合に比べ残存薬剤量が多く、薬剤を無駄なく使用でき薬剤効力の低下がなかった。
【００４４】
実  施  例  ２
ポリペットハードタイプ（大倉工業（株）製  ＰＥＴ：ＰＰ＝７：３）（厚さ３０ミクロン）を用いて、２軸式三方製袋機にて縦５ｃｍ×横５ｃｍの袋を製袋した。一方、３ｃｍ×４ｃｍ×０．１ｃｍの濾紙にエンペントリン１００ｍｇを含浸させたものを、図１に示した引き出し用防虫剤容器に収納し、防虫器を作成した。次いで、この防虫器を上記袋に入れ、４０℃で１ヶ月間保存した。
【００４５】
上記期間の後開封したところ、防虫剤容器にも袋の内面にもエンペントリンの吸着、付着は見られなかった。次いで、開封した防虫剤容器をタンスの引き出しに設置したが、このものは約６ヶ月の間、充分な防虫効果を有した。
【００４６】
実  施  例  ３
ポリペットハードタイプ（大倉工業（株）製ＰＥＴ：ＰＰ＝７：３）に二軸延伸ポリプロピレンフィルムをドライラミネートしたフィルムを用いて、二軸延伸ポリプロピレンが外側になるようにして、二軸式三方製袋機にて縦５ｃｍ×横５ｃｍの袋を製袋した。一方、３ｃｍ×４ｃｍ×０．１ｃｍの濾紙にエンペントリン１００ｍｇを含浸させたものを、図１に示した引き出し用防虫剤容器に収納し、防虫器を作成した。次いで、この防虫器を上記袋に入れ、４０℃で１ヶ月間保存した。
【００４７】
上記期間の後開封したところ、防虫剤容器にも袋の内面にもエンペントリンの吸着、付着は見られなかった。次いで、開封した防虫剤容器をタンスの引き出しに設置したが、このものは約６ヶ月の間、充分な防虫効果を有した。
【００４８】
【発明の効果】
本発明の揮散性薬剤包装用フィルムを用いると、流通段階や保存時において、揮散性薬剤のフィルム内面への吸着がなく、その結果、薬剤を無駄なく使用でき、十分な薬剤効力を得ることができる。
【図面の簡単な説明】
【図１】本発明の揮散性薬剤包装用フィルムで包装される引き出し用防虫器の一例である。
【符号の説明】
１  ・・・・防虫器
２  ・・・・防虫剤容器
２ｃ・・・・上容器体
２ｄ・・・・下容器体
３  ・・・・揮散孔
４  ・・・・揮散性薬剤含浸体
【図１】
2004331174.tif 000005